(57)【特許請求の範囲】
【請求項１】
記録媒体の記録面にカラーエンティティを配置することによりコンピュータオブジェクトを前記記録媒体に記録する方法であり、
前記カラーエンティティが配置される前記記録面を、任意に編成可能な制御部と記憶部とセキュリティ部とその他の領域に区分し、
前記記録面の前記領域に応じて、前記カラーエンティティを形作る１つの特定カラーまたは複数の特定のカラーの各々に、前記特定カラーと前記コンピュータオブジェクトとを対応付けるカラー・オブジェクト間の対応関係に基づき、あるいは前記カラー・オブジェクト間の対応関係とは独立な他の対応関係に基づき、前記コンピュータオブジェクトのグループ階層の指定機能、前記カラーエンティティをコンピュータオブジェクトに変換する前の諸判断チェック機能、または記録再生と複製を回避するためのセキュリティ機能の特定の機能を任意に割り当てるようにしたことを特徴とするコンピュータオブジェクトの記録方法。
【請求項２】
カラーの経年変化を補正するため、またカラー入出力装置間のカラーの入出力の特性の違いを補正するために、前記特定のカラーの１つに複数のカラー情報を持たせ、そのカラーエンティティに続いてその指定された複数のカラーをカラーエンティティとして配置し、そのカラーエンティティの読取時にカラーを補正することを特徴とする請求項１記載のコンピュータオブジェクトの記録方法。
【請求項３】
記録媒体の記録面にカラーエンティティを配置することにより前記カラーエンティティを形作るカラーとコンピュータオブジェクトとを対応付けるカラー・オブジェクト間の対応関係に基づき前記コンピュータオブジェクトを前記記録媒体に記録する方法であり、
前記カラーエンティティを形作る前記カラーの属性に加えて、円、四角、バーなどの図形の形あるいはその他の印刷可能な属性を含めた複数の属性の中から選んだ、１つあるいは複数の属性を前記カラーエンティティの属性として前記コンピュータオブジェクトに対応付けて記録することを特徴とするコンピュータオブジェクトの記録方法。
【請求項４】
記録媒体の記録面にカラーエンティティを配置することにより前記カラーエンティティを形作るカラーとコンピュータオブジェクトとを対応付けるカラー・オブジェクト間の対応関係に基づき前記コンピュータオブジェクトを前記記録媒体に記録する方法であり、
複数の異なる汎カラーの組み合わせに対して１つのコンピュータオブジェクトあるいはカラー数値を対応付けるカラー・オブジェクト間の対応関係またはカラー・カラー数値間の対応関係を構成して、前記記録媒体の前記記録面上の連続した配置あるいは任意な配置の複数の前記カラーエンティティーに対し１つのコンピュータオブジェクトを記録可能にすることを特徴とするコンピュータオブジェクトの記録方法。
【請求項５】
記録媒体の記録面にカラーエンティティを配置することにより前記カラーエンティティを形作るカラーとコンピュータオブジェクトとを対応付けるカラー・オブジェクト間の対応関係に基づき前記コンピュータオブジェクトを前記記録媒体に記録する方法であり、
前記カラーエンティティを形作る複数の特定のカラーについて、前記複数の特定のカラーで作られる複数のカラー組合せと複数のコンピュータオブジェクトとを対応付け、このカラー・オブジェクト間の対応関係に基づき、これにより前記複数の特定のカラーで作られる前記複数のカラー組合せの各々に特定の機能を割り当て、これにより、前記複数の特定のカラーに基づき、対応する前記コンピュータオブジェクトの所在に導かれる機能を持たせることを特徴とするコンピュータオブジェクトの記録方法。
【請求項６】
前記複数の特定のカラーに加えて、図形の形あるいはその他の印刷可能な属性を含めた複数の属性の中から選んだ、１つあるいは複数の属性をカラーエンティティの属性として前記複数のコンピュータオブジェクトの各々に対応付けて記録することを特徴とする請求項５記載のコンピュータオブジェクトの記録方法。
【請求項７】
前記複数のコンピュータオブジェクトは、コンピュータの内部またはコンピュータを介して取り扱われるデータまたは情報であることを特徴とする請求項５または６記載のコンピュータオブジェクトの記録方法。
【請求項８】
ペーパー、樹脂板、ガラス、基板、セラミック板、シート、液晶板、カラーとして記録可能な媒体、およびその組合せで構成され、前記請求項１〜７のいずれか１項に記載されたコンピュータオブジェクトの記録方法におけるコンピュータオブジェクトを表現するための前記カラーエンティティを出力可能にしたことを特徴とする記録媒体。
【請求項９】
コーティングにより前記カラーエンティティの変色を防止したことを特徴とする請求項８記載の記録媒体。
【請求項１０】
前記カラーエンティティーはカラードットであり、
前記記録媒体の形状あるいはその上の前記カラードットの配置の形状を、円盤状、多角形、その他任意の形状とし、記録媒体の組成構成は任意自在とし、前記記録媒体のカラードット出力面を回転可能あるいは任意方向移動可能に、または前記記録媒体のカラードット出力面を移動可能、静止可能にし、または前記記録媒体を着脱可能にかつ駆動可能、回転可能、静止可能に保持することを可能にし、または保持具を回転可能にして保持具の回転に従って前記カラードットを入出力可能にすることを特徴とする請求項８記載の記録媒体。
【請求項１１】
前記カラードットの配置に関し、前記記録媒体の記録出力面を制御部と記憶部とセキュリティ部とその他領域に区分し、各部位を任意に編成可能にすることを特徴とする請求項１０記載の記録媒体。
【発明の詳細な説明】
【技術分野】
【０００１】
本発明は、産業分野や日常生活等の上でコンピュータに関連して取り扱われる文字、図形、数式、画像、音声等のデータまたは情報についてカラーを利用して表現、記録または記憶、再生、通信を行う方法、記録および／または再生の装置、カラーを利用した記録媒体、さらにカラーを利用して暗号を作成する方法に関する。
【背景技術】
【０００２】
各種の情報を記録する従来の方法として、直接に紙に記載する方法、コンピュータに関連するフロッピー（登録商標）ディスク、ハードディスク、ＣＤ、ＤＶＤ等の記録媒体に記録する方法等が知られている。最近では、コンピュータの発達に伴って特に記録媒体が多く用いられている。さらにプリント基板においていくつかの各種情報を記録する方法として、当該プリント基板の適宜な箇所に点を表示し、これらの点の組み合わせにより少量の情報を記録する方法もある。さらにプリント基板に各種情報を記録する他の方法として、バーコードによる方法、点またはチェック模様を当該プリント基板等に打刻する方法、またはこれらを組み合わせる方法がある。ただしその場合に、記録される情報は、点、線、模様、またはこれらの組み合わせによる画像、または点、線等が存在する位置によって表される。
【発明の開示】
【発明が解決しようとする課題】
【０００３】
従来の情報記録方法の主流は、コンピュータの発達に伴い、情報を２進化して記録媒体に記録する方法である。当該記録媒体は、コンピュータがハードウェアとソフトウェアの点で非常に発達したことに伴って、大きく進歩してきた。記録媒体における情報の記録の仕方は、基本的に、記録媒体上の最小の記録単位（以下では「１ドット」という。また最少記録単位が記録される箇所を「ドット」と呼ぶ。）に１ビットの情報を対応させている。それ故に、上記記録媒体については、近年、情報量の膨大化に伴って記録容量の肥大化を招いている。
【０００４】
本発明の主な目的は、上記の記録容量の肥大化の問題に鑑みて、カラー（色）の有する特性に着目し、当該カラーをデータや情報を表現する媒体として利用し、１ドットに印刷されたカラーの色種や色差を複数のデータ等に対応させることにより、１ドット当たりの情報量を１ビットを超える量（例えば２ビット、８ビット、１６ビット等）に増大させ、記録（または記憶）の容量の肥大化を軽減するコンピュータオブジェクトの表現方法を提供することにある。
【０００５】
本発明の他の目的は、カラーを利用したコンピュータオブジェクトの表現方法を利用して、コンピュータオブジェクトの記録、再生、通信の方法を提供することにある。
【０００６】
さらに本発明の他の目的は、カラーを利用したコンピュータオブジェクトの表現方法を利用して構成されるコンピュータオブジェクトの記録および／または再生の装置を提供することにある。
【０００７】
さらに本発明の他の目的は、一般的な紙、樹脂板等の安価な記録媒体を利用して大量のデータや情報を記録する方法および装置を提供することにある。
【０００８】
さらに本発明の他の目的は、カラーを利用したデータ・情報の記録の方法を利用してなる記録媒体を提供することにある。
【０００９】
加えて本発明の他の目的は、上記のカラーを利用したデータ・情報の記録をさらに活用して暗号の作成方法を提供することにある。
【００１０】
本発明の他の目的は、さらに、上記のごときカラーを利用してなるデータ・情報の記録を通信回線および通信装置に応用し、情報の大量配信を図ることのできる方法および装置を提供することにある。
【課題を解決するための手段】
【００１１】
本発明では、以下の説明において、カラー（色）、カラーエンティティー、コンピュータオブジェクト等の概念が用いられる。
【００１２】
現在のコンピュータでは数百万種以上の印刷可能なカラーを認識することができる。そこでカラーを利用してデータや情報を表現するという技術思想を提案する。
【００１３】
ここで「カラー（色）」とは、原則として、可視光に基づいて通常の人間が視覚により認識する物理的実在であり、さらに、コンピュータが認識することを可能にする関係上、概念的に可視光以外の周波数の光による物理的実在も含まれるものとする。
【００１４】
上記の複数のカラーのそれぞれにコンピュータオブジェクトを対応付ける。ここで「コンピュータオブジェクト」とは、コンピュータの内部またはコンピュータを介して取り扱われる文字、記号、図形、数式、画像、音声等の個々のデータまたは情報（以下必要に応じて「データ・情報」と記す）のことを意味する。かかるコンピュータオブジェクトを記録することを、対応付けられたカラーを記録媒体のドットに印刷することによって実現する。カラーを利用したかかる記録を記録媒体に行うことによって、同時にコンピュータオブジェクトを記憶することが可能となる。この場合において、カラーを属性として記録媒体のドットに印刷されたもの（これを「実体」とする）を「カラーエンティティ」と呼ぶことにする。
【００１５】
上記のごとくコンピュータオブジェクトはカラーエンティティのカラーにより記録される。以上の記録を実現するためには、コンピュータオブジェクトをカラーを利用して表現する方法が重要となり、本発明ではカラーを利用したコンピュータオブジェクトの表現方法が提案される。本発明に係るコンピュータオブジェクトの表現方法を基礎にして、本発明に係る記録（記憶）、再生、通信の各方法が実現される。また本発明に係るコンピュータオブジェクトの表現方法を利用して記録および／または再生の装置が提案される。さらに本発明に係るコンピュータオブジェクトの表現方法を利用して暗号作成の方法が提案される。
【００１６】
さらに、カラーを直接に記録できない媒体（例えばフロッピー（登録商標）ディスク等）に記録するとき、または通信を行うときには、カラーに対応したカラー数値を用いてコンピュータオブジェクトを伝達するように構成する。
【００１７】
以上の考え方に基づいて、コンピュータオブジェクトに対してカラーを対応付け、複数のコンピュータオブジェクトを異なるカラーによって表現する。
【００１８】
上記のごとくコンピュータの内部でまたはコンピュータを介して取り扱われる複数のコンピュータオブジェクトのそれぞれに異なるカラーを対応付ける。このように対応付けられたカラーとコンピュータオブジェクトの関係を「カラー・オブジェクト関係」と呼ぶことにする。記録媒体上で１つまたは複数の点（以下「カラードット」と呼ぶ）に印刷したカラーを属性とするもの（すなわちカラーエンティティ）によって、それに対応するコンピュータオブジェクトを表現することが可能となる。
【００１９】
コンピュータオブジェクトを表現するカラーエンティティが記録される記録媒体は、例えば、ペーパー、樹脂板、ガラス、基板、セラミック板、シート、液晶板、カラーとして記録可能な媒体、およびその組み合わせで構成されたものである。
【００２０】
上記の本発明に係るコンピュータオブジェクトの表現方法（または記録方法）を前提として、カラーを利用して表現される本発明に係るコンピュータオブジェクトの記録装置が構成される。この記録装置は、ＣＰＵ（中央処理装置）とカラー出力装置、さらに必要なデータやプログラムを格納する記憶装置（主記憶装置、補助記憶装置）を含んでいる。コンピュータオブジェクトの記録装置では、コンピュータオブジェクトをカラーへ変換し、記録する方法が実施される。すなわちコンピュータオブジェクトの記録装置では、或るコンピュータオブジェクトの記録指示がなされたとき、ＣＰＵは、予め定められたカラー・オブジェクト関係に基づき、コンピュータオブジェクトをカラーに変換する。さらにＣＰＵは、カラー出力命令をカラー出力装置に対して発する。カラー出力装置は、そのカラー出力命令に従って記録媒体にカラーエンティティを出力し、記録する。カラー出力装置は、カラープリンタ等である。
【００２１】
また上記の本発明に係るコンピュータオブジェクトの表現方法（または再生方法）を前提として、カラーを利用して表現される本発明に係るコンピュータオブジェクトの再生装置が構成される。この再生装置は、ＣＰＵとカラー入力装置、さらに必要なデータやプログラムを格納する記憶装置を含んでいる。コンピュータオブジェクトの再生装置では、カラーをコンピュータオブジェクトへ変換して再現する方法が実施される。すなわちコンピュータオブジェクトの再生装置では、カラー入力装置によって記録媒体上のカラードットのカラーを読み込む。カラー入力装置としては、ＣＣＤカメラ、カラースキャナー等である。ＣＰＵは、入力されたカラーをカラー・オブジェクト関係に基づきコンピュータオブジェクトに再現する。さらにＣＰＵは、再現したコンピュータオブジェクトを、表示し、音声出力し、画像出力し、印刷し、保管し、または通信する。
【００２２】
上記のコンピュータオブジェクトの記録装置と再生装置を一体化してコンピュータオブジェクトの記録および再生を可能にするコンピュータオブジェクトの記録再生装置を実現することができる。
【００２３】
上記の構成において、カラーの代わりに、各々のコンピュータオブジェクトにそれぞれ異なる数値（この数値を「カラー数値」と呼ぶ）を対応させ（対応付けられたカラー数値とコンピュータオブジェクトの関係を「カラー数値・オブジェクト関係」と呼ぶ）、これによりコンピュータオブジェクトを表現することもできる。
【００２４】
上記のカラー数値に対してはカラーを割り当て（カラーとカラー数値の関係を「カラー・カラー数値関係」と呼ぶ）、カラー数値・オブジェクト関係およびカラー・カラー数値関係の両方を使ってコンピュータオブジェクトをカラーに対応付けることも可能である。
【００２５】
コンピュータオブジェクトをカラーに変換し、あるいはカラーをコンピュータオブジェクトに変換する場合において、カラー・オブジェクト関係の代わりに、カラー・カラー数値関係およびカラー数値・オブジェクト関係の両方を用いて記録装置または再生装置を構成することも可能である。
【００２６】
上記のカラーの代わりにそれに対応したカラー数値を用いて、ネットワークによる通信、あるいはデータ記憶媒体によるデータ伝達により複数のコンピュータ間で通信を行い、受信したカラー数値をカラー数値・オブジェクト関係を用いて必要に応じてコンピュータオブジェクトに再現するようにし、通信経路やデータ伝達の経路上ではコンピュータオブジェクトそのものを扱わないようにする。
【００２７】
コンピュータオブジェクトの表現方法や記録方法等、および記録装置等では、カラー数値の設定の方法に関しては、カラーの再現性を考慮してカラー数値の要素数の最大許容範囲が定め、その範囲内でカラー数値を設定することが望ましい。
【００２８】
複数のコンピュータオブジェクトグループを構成し、その各々に対し異なる対応関係を持つカラー数値・オブジェクト関係を作り、取り扱うすべてのコンピュータオブジェクトを複数のコンピュータオブジェクトグループのいずれかに配置する方法が提案される。このとき、コンピュータオブジェクトグループを識別するのに、グループ毎にカラー数値  （必然的にカラー）を割り当てておけばよい。この方法は、コンピュータオブジェクトの配置を取り扱い易いようにするためにも有用であると共に、取り扱うコンピュータオブジェクトの数が上記カラー数値の要素数の最大許容範囲を超える場合に有効である。
【００２９】
前述した複数のコンピュータオブジェクトグループを第１の階層のグループと呼ぶことにして、この第１階層のグループの数が多くなった場合、第１階層のグループをグループ分けし、複数の第２階層のグループを作り、第１階層のグループは第２階層グループのいずれかに含まれるようにする。さらに同様にして順次に第３階層、第４階層、…を作成して、それら各階層のグループにカラー数値を対応させる方法を提案する。これにより、コンピュータオブジェクトの配置をさらに柔軟に行うことができると共に、どのように多くのコンピュータオブジェクトでも有限個のカラーに対応させることができる。
【００３０】
コンピュータオブジェクトをカラー数値に変換し、そのカラー数値をカラーに変換し、そのカラーをコンピュータオブジェクトに変換したとき、変換後のコンピュータオブジェクトが変換前のコンピュータオブジェクトに同一になるように、カラー数値・オブジェクト関係、カラー・カラー数値関係、カラー・オブジェクト関係（このような条件を充たすコンピュータオブジェクトに関する３種の関係を、「循環オブジェクト関係」と総称する）を定める。
【００３１】
コンピュータオブジェクトをカラーまたはカラー数値に変換して通信、データ伝達、記録（記憶）するときに、コンピュータオブジェクトを再現するのに必要な循環オブジェクト関係の１つあるいは複数の対応関係を、同時に通信、データ伝達、記録（記憶）することにより、受信側がコンピュータオブジェクトを再現するための関係を所持していない場合でも、受信したカラー数値をコンピュータオブジェクトに再現できる方法が提案される。
【００３２】
本発明に係るコンピュータオブジェクトの表現方法では、或る任意の階層のグループに含むあらゆるコンピュータオブジェクトをその組み合わせで表現できるようにした要素的なコンピュータオブジェクト（例えばＪＩＳコードで定められている英数記号や日本語文字、さらに或るコンピュータグループ内においてコンピュータオブジェクトの要素として共通に使われるもの。このようなコンピュータオブジェクトを「共通オブジェクト」と呼ぶ）を定め、その共通オブジェクトにより一連のコンピュータオブジェクトを表現することも可能である。
【００３３】
上記共通オブジェクトとそれに対応するカラー、カラー数値（これらをそれぞれ「共通カラー」、「共通カラー数値」と呼ぶ）の間に、カラー・オブジェクト関係、カラー数値・オブジェクト関係、およびカラー・カラー数値関係（これら共通オブジェクトに関する関係を総称して  「共通オブジェクト関係」と呼ぶ）を定める。それにより一連のコンピュータオブジェクトを共通カラー数値あるいは共通カラーのみを用いて通信、データ伝達、記録、再現（再生）が行われる。
【００３４】
コンピュータオブジェクトを共通カラーまたは共通カラー数値を用いて通信、データ伝達、記録するときに、同時に共通オブジェクト関係を付加する方法が提案される。
【００３５】
循環オブジェクト関係のなかに共通オブジェクト関係を包含させて、それにより一連のコンピュータオブジェクトをカラー数値あるいはカラーに変換して通信、データ伝達、記録（記憶）、再現（再生）する。
【００３６】
コンピュータオブジェクトの記録方法または記録装置において、前述したカラードットの出力に関して、記録媒体の記録面に番地を付与し、その番地に合わせてカラードットを配置する。
【００３７】
上記において、カラードットの出力、入力の順を番地で指定できるようにすることが好ましい。
【００３８】
本発明に係るコンピュータオブジェクトの再生方法または再生装置では、上記の記録媒体の形状、またはその上に出力するカラードットの配置の形状を、円盤状、四角形等の多角形、あるいはその他の任意形状とし、記録媒体の組成構成は任意自在とし、記憶媒体のカラードット出力面を回転可能あるいは任意方向への移動可能にする。また記憶媒体のカラーエンティティ出力面を移動可能または静止可能にする。さらに記録媒体を着脱可能に、または駆動可能、回転可能、静止可能に保持する。さらに記録媒体の保持具を回転可能にして、保持具の回転に従ってカラードットを入出力可能にする。
【００３９】
上記の記録媒体に関して、コーティング等によりカラーエンティティの変色を防止可能とする。
【００４０】
上記のカラー・オブジェクト関係に関して、通信回線と通信装置に基づいてその関係の対応付けを可能にする。
【００４１】
上記のカラードットの配置に関して、記録媒体におけるカラードット出力面（表示面）を、制御部と記憶部とセキュリティ部の各領域とその他の領域に区分し、各領域を任意に編成可能にする。
【００４２】
上記の構成において、カラードットのデータの送受信を双方向通信で可能にし、カラードットに関するデータの記録あるいは配信内容のチェック・更新を可能にする。
【００４３】
本発明に係るコンピュータオブジェクトの記録方法、再生方法、あるいは記録装置、再生装置、記録再生装置でのコンピュータオブジェクトの通信、伝達、記録の再生において、入力した一連のカラーもしくはカラー数値のすべてまたは特定の一部の値により、受入れ可否の判断を行い、受入れ否の場合と受入れ可の場合とは異なる処理（この処理を「カラーフィルタ」と呼ぶ）を行うようにする。
【００４４】
上記のカラーフィルタにおいて、カラーまたはカラー数値のリスト  （このリストを「フィルタ対応表」と呼ぶ）を用意し、入力したカラーまたはカラー数値をフィルタ対応表に照らし合わせることにより、受入れ可否の判断を行うようにする。
【００４５】
上記のカラーフィルタにおいて、一連のカラーまたはカラー数値に対して受入れ否の判断を行った場合、それらのデータを表示して処理決定を行わせ、あるいはそれらのデータを通信、伝達、再生の元に返送する等の処理を行うようにしたカラーフィルタ機能を有する。
【００４６】
本発明に係るコンピュータオブジェクトの記録方法および記録装置において、１つまたは複数の特定のカラー（この特定のカラーを「特定カラー」と呼ぶ）に、カラー・オブジェクト関係に基づきあるいはカラー・オブジェクト関係に独立に特定の機能を割り当て、上記コンピュータオブジェクトグループ階層の指定機能、カラーエンティティをコンピュータオブジェクトに変換する前の諸判断チェック機能またはセキュリティ機能などを持たせることを可能にする。
【００４７】
カラーの経年変化を補正するため、またカラー入出力装置間のカラーの入出力の特性の違いを補正するために特定カラーを使用する方法を示す。例えば上記特定カラーの１つに１または複数のカラー情報を持たせ、そのカラーエンティティに続いてその指定された複数のカラーをカラーエンティティとして出力する。このようにすれば、カラーエンティティを入力する側は、その特定カラーが指定した情報により１あるいは複数の補正用カラーエンティティを読み取り、読み取ったカラーと特定カラーに指定されたカラー情報の相違により経年変化または装置差によるカラーの相違の補正を可能にする。
【００４８】
以上の説明では、カラーエンティティの属性はカラーのみとしてきたが、カラー以外の属性を使用することもできる。すなわち、カラーに加えて、円、四角、バー等の図形の形や、その他の印刷可能な特性を含めた複数の属性の中から選んだ１または複数の属性をカラーエンティティの属性（このような属性を「汎カラー」と呼ぶ）としてコンピュータオブジェクトに対応付けてコンピュータオブジェクトの表現方法、記録方法、再生方法、通信方法、記録装置、再生装置、または記録再生装置を示す。このように複合の特性を使用した場合でも、それに対してカラー数値を割り当て循環オブジェクト関係を構成する。
【００４９】
カラーエンティティあるいはカラー数値によるコンピュータオブジェクトの記録と、それによらないコンピュータオブジェクトの記録、例えば通常の文字などを同一の記録媒体（例えば紙等）上に混在させることができる。
【００５０】
記録媒体上の連続した、あるいは任意配置の複数のカラードットを使用して１つのコンピュータオブジェクトを記録することもできる。複数の異なる汎カラーの組み合わせに対して１つのコンピュータオブジェクトまたはカラー数値を対応付けるカラー・オブジェクト関係またはカラー・カラー数値関係を構成することにより、記録媒体上の連続したあるいは任意配置の複数のカラードットに対し１つのコンピュータオブジェクトを記録することを可能にする。
【００５１】
予め出力されている、あるいは出力が定められているカラーエンティティあるいはカラー数値があって、後からそれらのカラーあるいはカラー数値のそれぞれにコンピュータオブジェクトを対応させる場合もある。この場合には、新たにカラー・オブジェクト関係あるいはカラー数値・オブジェクト関係を形作り、その関係をカラーあるいはカラー数値の入力時に使う。
【００５２】
以上のようにカラーまたは汎カラーを属性とするカラーエンティティによってコンピュータオブジェクトを表現し、コンピュータオブジェクトを記録等させる方法および装置によって次ような作用が生じる。
【００５３】
１ドットあたりの記録容量を、カラーの印刷・読取の分解能・精度の限界まで複数ビットとし、記録容量（記憶容量）を高めることができる。１ドットに文字、記号、図形、数式、画像、音声等の様々な種類の情報を対応させることができる。相当量の情報を簡便なスペースで記録保持することが可能となる。記録媒体の選択の幅が広くなる。記録媒体を安価にする。記録認識の装置またはシステムを簡便にすることが可能となる。カラーの組合せによる記録により大量な情報の記録と管理を容易にする。情報の伝達・通信、書物・印刷物の保管保存等において等価的にデータ圧縮の作用を持つ。装着冶具の利用によって紙等へ情報記録を行うことが可能なことから、娯楽ソフト、日常生活上のソフトを安価に簡便に製作できる。普通紙等の安価な記憶媒体により大量の情報を記録でき、このため高価な大量記憶装置を代替することができる。同時に環境作用や省エネ作用を有する。
【００５４】
上記のコンピュータオブジェクトの表現方法、記録方法、再生方法、通信方法をさらに発展させて暗号作成方法として活用し、一般的に情報をカラーやカラー数値で表現し、情報をカラー数値として通信することにより、情報の大量送信が可能になると共に、暗号としての機能が発揮され、通信途中での情報の安全性を高める。カラーが印刷される記録媒体の記録面には番地が付与され、カラーエンティティの出力、入力の順をこの番地で指定することによって情報がカラーで表現される。
【００５５】
通常の記号とカラー、カラー数値を選択的に使用することから、ドットの使用量を減縮することが可能となる。対応表を使用することによりコンピュータオブジェクトに対し、伝達・送信するカラー、カラー数値の減縮作用が発揮される。
【発明を実施するための最良の形態】
【００５６】
以下に本発明の実施形態を添付図面に基づいて説明する。この説明によって本発明の内容がさらに明らかにされる。
【００５７】
図１は本発明の基本的な実施形態を示す。この実施形態による装置（概念的に記録および／または再生の装置、すなわち記録装置、再生装置、記録再生装置を含む）は、カラーを利用してコンピュータオブジェクトを表現する本発明に係る方法が適用されたコンピュータシステムの例を示している。破線で描かれたブロック１０はコンピュータを示している。このコンピュータ１０は、ＣＰＵ（中央処理装置）１１と主記憶装置１２と補助記憶装置１３と入出力制御装置１４から構成されている。コンピュータ１０は、本発明のための専用のコンピュータとして構成されている必要はなく、また専用コンピュータとして単体として独立している必要はない。例えば、コンピュータ１０は印刷装置にもともと組み込まれているコンピュータまたはＭＰＵの一部にあって、本発明に係るカラーを利用したコンピュータオブジェクトの表現方法を可能にし、これによりカラーによるコンピュータオブジェクトの記録、再生、通信（伝達）等を行う機能を実現するものであってもよい。ＣＰＵ１１は、コンピュータオブジェクトをカラーに変換して出力装置を介して出力を行い、また反対に入力装置を介して読み込まれたカラーをコンピュータオブジェクトに再現するという機能を有している。当該機能は、上記の主記憶装置１２または補助記憶装置１３において、複数のコンピュータオブジェクトと複数のカラーとの対応関係を有しているテーブルと、このテーブルを参照しながら変換と入出力処理を実行するプログラムを備えることにより実現される。上記のカラーの代わりに、各カラーに対応するカラー数値を用いることもできる。補助記憶装置１３は、コンピュータオブジェクトを記憶し、前述したカラー・オブジェクト関係（またはそれに代わるものとしてカラー・カラー数値関係もしくはカラー数値・オブジェクト関係）を、データベースまたはその他の類似形式にて記憶させておくものである。補助記憶装置１３は図示されるごとくコンピュータ１０に内蔵してもよいし、あるいはコンピュータ１０に対して外付けで設けることもできる。さらに補助記憶装置１３は、コンピュータ１０の外部にあって、使用時のみに接続するように構成することもできる。入出力制御装置１４は、ＣＰＵ１１による入出力の指示に基づいて、コンピュータ１０に接続される複数の入力装置と複数の出力装置の内のいずれかを選択してその入出力の処理動作を制御するものである。またコンピュータ１０に対しては、入出力制御装置１４を介して、さらに通信装置（通信回線を含む）１５を経由して他のコンピュータ１６が接続されている。従って入出力制御装置１４は、ＣＰＵ１１の通信の指示に従って、通信装置１５を選択し当該通信装置を経由して他のコンピュータ１６との間で通信を行う機能も有している。図１では通信装置１５は線で概念的に示されているが、通信機能を有する手段を含むものとする。
【００５８】
以上において、入出力制御装置１４と、入力装置、出力装置、通信装置のいずれかとの間のデータの伝送では、直接接続、ＷＡＮ・ＬＡＮ経由接続等の接続の種類、また有線、無線通信、赤外線通信など伝送の方式等の種々の通信に関する方式を限定するものではない。
【００５９】
上記のコンピュータ１０に対して各種の出力装置と入力装置、あるいは入出力装置が付設されている。
【００６０】
コンピュータ１０に接続される出力装置は、例えば、カラーエンティティを出力する装置、またはカラー数値を出力する装置、または再現されたコンピュータオブジェクトを出力する装置である。カラーエンティティを出力する装置としては、プリンター２１（カラープリンター）、ファクシミリ２２、その他の装置２３に含まれるカラー出力装置がある。これらのカラーエンティティ出力装置は、コンピュータ１０の出力指示に基づいてカラーエンティティを記録媒体に印刷する。またカラー数値を出力する装置としては、ＦＤＤ・ＨＤＤ３１、ＭＯＤ３２、ＣＤ・ＬＤ・ＭＤ・ＤＶＤ・ＳＤＶＤ３３、さらに前述のその他の装置２３に含まれる記憶装置がある。これらのカラー数値出力装置は、カラー数値を出力する。さらに再現されたコンピュータオブジェクトを出力する装置としては、上記の各種の出力装置に加えて、音声変換装置４１、音声・映像変換装置４２がある。これらのコンピュータオブジェクト出力装置は、カラーエンティティまたはカラー数値から変換されたコンピュータオブジェクトを目的・用途に応じて出力する。
【００６１】
上記の出力装置の説明では、コンピュータ１０に対して接続され得る各種の出力装置が接続された例が説明されたが、コンピュータ１０において前述のすべての出力装置が接続されている必要はない。
【００６２】
コンピュータ１０に接続される入力装置は、カラーエンティティを入力する装置、またはカラー数値を入力する装置、または記録しようとするコンピュータオブジェクトを入力する装置である。カラーエンティティを入力する装置としては、ＣＣＤカメラ５１、ＯＣＲ５２、上記のファクシミリ２２、その他の装置２３に含まれるカラーを読むことのできる装置がある。これらの装置は、カラーエンティティのカラーを読み込んでコンピュータ１０に入力する。カラー数値を入力する装置としては前述のＦＤＤ・ＨＤＤ３１、ＭＯＤ３２、ＣＤ・ＬＤ・ＭＤ・ＤＶＤ・ＳＤＶＤ３３、その他の装置２３に含まれる記憶装置がある。これらの装置は、カラー数値を読み込んでコンピュータ１０に入力する。記録しようとするコンピュータオブジェクトを入力する装置としては、上記の入力装置に加えて、音声変換装置４１、音声・映像変換装置４２がある。これらの装置は、記録すべきコンピュータオブジェクトをコンピュータ１０に読み込む。
【００６３】
上記において、ＣＣＤカメラ５１に関しては、その下方に撮影対象である記録媒体２０１が配置される。記録媒体は２０１は保持装置２０２によって水平に保持されている。保持装置２０２は水平方向への駆動を行うための駆動装置２０３を備えている。記録媒体２０１の上には表示対象（または表示物）であるカラーエンティティ２０４が表示されている。このカラーエンティティ２０４がＣＣＤカメラ５１によって撮影される。なおＣＣＤカメラ５１は駆動制御部２０５を備えている。
【００６４】
図１では、さらに、前述の出力装置、入力装置、および入出力装置に対して、記録媒体６０が示されている。記録媒体６０としては、ペーパー（普通紙等、例えば図画、書籍、雑誌、新聞、画像等）６１、樹脂板（例えば図画、書籍、雑誌、新聞、画像等）６２、ガラス６３、木板６４、スピーカ６５、シート（例えばカード類、有価証券、身分証、書籍等）６６、液晶板（またはＰＤＰ、例えば図画、書籍、雑誌、新聞、画像等）６７、これらに類似するその他の記録媒体（その他の表示物、音響、映像）６８等のいくつかの例が示されている。これらの記録媒体は、その表面または内部にカラーエンティティまたはカラー数値を記録する。図１において、記録されるカラーエンティティまたはカラー数値は、記録媒体６０での表示対象７１として示されている。記録媒体６０は、前述の出力装置に対しては当該出力装置による書込み作用によって表示対象７１がその表面または内部に記録される手段として機能し、また前述の入力装置に対しては、当該入力装置による読込み作用によって、その表面または内部に記録された表示対象７１が読み込まれる手段として機能する。コンピュータ１０と記録媒体６０の間では、各出力装置を介して書込み７２という作用関係で関係付けられ、各入力装置を介して読込み７３という作用関係で関係付けられている。コンピュータ１０と記録媒体６０の間の領域７４は、書込みと読込みで関係が形成される作用領域である。またＦＤＤ・ＨＤＤ３１やファクシミリ２２などのごとく出力装置および入力装置として機能する入出力装置では、書込みと読込みの２つの作用７５が発揮されている。また記録媒体６０で、例えばスピーカ６５を利用する場合には、出力としての書込みあるいは入力としての読込みではなく、音声変換装置４１が用いられる。
【００６５】
上記の記憶媒体６０は、これに対して出力を行ったコンピュータ１０のみならず、同様な機能を有する他のコンピュータでも入力を行うことができる。この作用によってコンピュータ間でのデータ伝送を行うことができる。
【００６６】
通信装置１５は、電話回線などを使用したＷＡＮ（広域ネットワーク、インターネットを含む）、またはＬＡＮ（地域内情報通信網）である。これらの通信装置１５によって、他のコンピュータ１６（またはコンピュータシステム）との間で、コンピュータオブジェクトの情報がカラー数値または一般的なデータとして伝達される。通信装置１５による通信において、通信路、通信方式、通信装置の種類は任意のものを使用することができ、限定されない。
【００６７】
他のコンピュータ１６については、特定のコンピュータに限定するものではなく、本発明によるコンピュータオブジェクトの記録（記憶）・再生の装置の全体または一部を備えておれば足りる。コンピュータ１６においては、本発明によるカラーエンティティまたはカラー数値によりデータ・情報を交換することが可能である。
【００６８】
次に、コンピュータオブジェクトをカラーエンティティまたはカラー数値に変換して出力する方法、および逆にカラーエンティティまたはカラー数値をコンピュータオブジェクトに再現する方法を説明する。
【００６９】
コンピュータオブジェクトをカラーに変換するにはカラー・オブジェクト関係が用いられる。図２は、カラー・オブジェクト関係の例を示し、コンピュータ１０で具体的に使用する表の形に表現したカラー・オブジェクト対応表１００を示している。カラー・オブジェクト対応表１００の左列１００ａには使用される複数の異なるカラーが並べられ、右の列１００ｂには各カラーに対応するコンピュータオブジェクトが記されている。この例において赤１、赤２、橙１、橙２、橙３、…は異なるカラーを表している。赤１、赤２、橙１、橙２、橙３のカラーのそれぞれには、例えば、“Ｔ”というアルファベット、“谷”という漢字、“谷電機工業株式会社”という日本語文字列、“ABC002”という図版で表されるクリームハンダ印刷機の設計図、“DEF876”という記号で表されるクリームハンダ印刷機で使用するソフトウェアなどを対応付けている。
【００７０】
上記のカラー・オブジェクト関係において、カラーについてはそれを印刷するまたは読み取る分解能には限界がある。このカラー分解の最大数は、１６ビット相当の分解能があるとして６５５３６、２４ビット相当の分解能があるとして１７００万弱である。一方、コンピュータ１０で処理するコンピュータオブジェクトの数は一般にそれより多数である。このときは、処理するすべてのコンピュータオブジェクトを複数のグループに分け、そのグループ毎に別個のカラー・オブジェクト対応表を持たせればよい。当然のことながら、これらの複数のカラー・オブジェクト対応表においては、カラーは共通であり、対応するコンピュータオブジェクトが相互に異なっている。このとき、各々のカラー・オブジェクト対応表にグループを表すカラーを対応付ける。カラーエンティティとして出力するときは、グループを表すカラーと個別のコンピュータオブジェクトを表すカラーの両者を出力する。グループ分けにあたっては、できる限り関係が深く同時に使用する可能性の高いコンピュータオブジェクトを１つのグループに入れるようにすることが好ましい。
【００７１】
さらにカラー・オブジェクト関係は、カラーとコンピュータオブジェクトの中間にカラー数値なる量を介在させることにより、カラー・カラー数値関係とカラー数値・オブジェクト関係の２種類の関係に分けて持たせることもできる。このようにすると、コンピュータ１０での取り扱いにおいて利便を生じる。このことを図３〜図５を参照して説明する。
【００７２】
図３はカラー・カラー数値関係を表の形で表現したカラー・カラー数値対応表１０１であり、図４はカラー数値・オブジェクト関係を表の形で表現したカラー数値・オブジェクト対応表１０２である。図３において左列１０１ａのカラーは図２で説明した左列１００ａのカラーと同じものであり、図４の右列１０２ｂのコンピュータオブジェクトは図２の右列１００ｂのコンピュータオブジェクトと同じものである。対応表１０１，１０２のいずれにも存在するカラー数値により両対応表を結合することができる。カラー・カラー数値対応表１０１ではカラー数値は右列１０１ｂにあり、カラー数値・オブジェクト対応表１０２ではカラー数値は左列１０２ａにある。これらの対応表１０１，１０２を結合した結果として得られるカラーとコンピュータオブジェクトの関係は、図２に示した関係と全く同じものである。
【００７３】
図２において対応表が複数あるときは、図５に示すように、１つのカラー・カラー数値対応表１０３に対し複数（図示例では一般的にｎ個）のカラー数値・オジェクト対応表１０４−１〜１０４−ｎを作ればよい。このときカラー数値・オブジェクト対応表（１〜ｎ）１０４−１〜１０４−ｎに対しそれぞれにカラーを割り当てることになる。
【００７４】
もしコンピュータオブジェクトの数が多くてカラー数値・オブジェクト対応表で表すグループ（これを「第１階層グループ」と呼ぶ）の総数ｎが前述のカラー分解最大数を超えるとき、またはコンピュータオブジェクトの配置の利便性のために、第１階層グループをさらにグループ分けし（第１階層グループをグループ分けしたものを「第２階層グループ」と呼ぶ）、各第２階層グループに含まれる第１階層グループの数がカラー分解最大数を超えないようにする。コンピュータオブジェクトの数がさらに多い場合には、適宜に、第３、第４の階層を作ればよい。コンピュータ１０内での通常の処理においては上記のカラー数値を使い、カラーエンティティとして出力するときのみカラーに変換して使う。これによりコンピュータ１０内での処理が簡便になる。またカラーエンティティ以外の形で記録媒体に記録出力するときや、他のコンピュータ１６と通信装置１５を介して通信するときにはカラー数値を用いるのが適切である。
【００７５】
図６Ａはコンピュータオブジェクト（Ｏ）とカラー数値（Ｎ）とカラーエンティティのカラー（Ｃ）との関係を示している。図６Ａに示すごとく、コンピュータオブジェクト９１とカラー数値９２とカラーエンティティのカラー９３の三者の間には相互に変換できるという関係がある。図中の矢印９４，９５，９６は相互変換の関係を表している。これらの相互変換の関係９４，９５，９６において、コンピュータオブジェクト９１とカラー数値９２を関係付ける矢印９５による相互変換関係は前述したカラー数値・オブジェクト関係であり、コンピュータオブジェクト９１とカラー９３を関係付ける矢印９４による相互変換関係は前述したカラー・オブジェクト関係であり、カラー数値９２とカラー９３を関係付ける矢印９６による相互変換関係は前述したカラー・カラー数値関係である。これらの三者の相互関係を「循環オブジェクト関係」と呼ぶことにする。
【００７６】
上記の循環オブジェクト関係に関しては、図６Ｂに示されるように、コンピュータオブジェクト（Ｏ）とカラー数値（Ｎ）とカラーエンティティのカラー（Ｃ）を任意に２つずつの組を作ることにより３つの組ａ，ｂ，ｃを作ることができる。組ａはカラー・オブジェクト関係９４に基づくコンピュータオブジェクト９１とカラー９３の組である。組ｂはカラー数値・オブジェクト関係９５に基づくコンピュータオブジェクト９１とカラー数値９２の組である。組ｃはカラー・カラー数値関係９６に基づくカラー数値９２とカラー９３の組である。
【００７７】
図１で説明したように或るコンピュータ１０と他のコンピュータ１６の間で通信装置１５を経由してデータのやり取りのための通信を行う場合において、データのやり取りをカラー数値を用いて暗号として行うには図６Ｃに示される関係を、コンピュータ１０，１６の各々が有することが必要である。つまり、通信装置１５によるコンピュータ１０からコンピュータ１６へのデータの送信をカラー数値を利用した暗号手法で行うようにするためには、コンピュータ１０，１６が両方共に前述の組ａであって同じ変換関係を有していることが必要である。
【００７８】
なお、図６Ｃに示される上記関係はコンピュータ１０，１６の間でのみ有していることに限定されるものではなく、コンピュータ１０とこのコンピュータ１０に接続される入出力装置であるプリンタ２１やその他の装置２３等との間で情報を暗号としてやり取りする場合も、図６Ｃに示される上記関係を有するように構成できるものである。
【００７９】
以上のように同じ変換関係を有する組ａ，ｂ，ｃの選択およびこれらの組合せ・変換関係の構成は任意である。
【００８０】
また通信装置１５に代えてFDD、HDDなどのその他の記録媒体によるコンピュータ処理においても上記と同様に可能である。
【００８１】
次に、図７を参照して、コンピュータ１０において、コンピュータオブジェクトをカラーエンティティまたはカラー数値の形へ変換し、記録し、または通信により伝達し、または再現等する手順を説明する。
【００８２】
コンピュータ１０に対して、記録媒体６０に記録された１つまたは複数のデータまたは情報（データ・情報：文字、記号、図形、数式、画像、音声など）１１１が与えられたとき、コンピュータ１０はそれらを前述した入力装置１１２によって読み込む。コンピュータ１０に読み込まれたデータ・情報は、コンピュータ１０内においてコンピュータオブジェクト１１３として示されている。当該コンピュータオブジェクト１１３は、直ちに処理されるか、または一旦補助記憶装置１３に保管される。補助記憶装置１３におけるブロック１１４はコンピュータオブジェクトの記憶の状態を示している。
【００８３】
次にＣＰＵ１１は、コンピュータオブジェクト１１３をカラー数値１１５に変換する。ＣＰＵ１１では、前述の主記憶装置１２（図７では図示せず）に格納されるプログラムに基づきカラー数値・オブジェクト変換部１１６を実現し、このカラー数値・オブジェクト変換部１１６が、補助記憶装置１３に格納された前述のカラー数値・オブジェクト対応表１０２を用いて、読み込んだまたは補助記憶装置１３に保管されたコンピュータオブジェクトをカラー数値１１５へ変換する。データ・情報をカラー数値として記録する場合、あるいは通信による情報伝送をする場合は、上記のカラー数値１１５そのものを、入出力制御装置１４を介して出力しまたは通信する。すなわち、入出力制御装置１４およびデータ入出力装置１１７を介して記録されたカラー数値１１８として出力され、また入出力制御装置１４および他のコンピュータとの情報通信部１１９を介して配信カラー数値１２０として出力される。
【００８４】
さらにデータ・情報をカラーエンティティとして記録する場合は、前述の主記憶装置１２に格納されるプログラムによってＣＰＵ１１内にカラー・カラー数値変換部１２１が実現され、このカラー・カラー数値変換部１２１が補助記憶装置１３に保管されたカラー・カラー数値対応表１０１を用いてカラー数値１１５をカラーに変換し、入出力制御装置１４およびカラー入出力装置１２２を介してカラーエンティティ１２３を出力する。
【００８５】
反対にカラーエンティティ１２３を入力するときは、カラー入出力装置１２２の入力装置部分、例えば前述のＣＣＤカメラ５１等の入力装置により、各カラードットのカラーエンティティを読み取り、入出力制御装置１４を介してカラーとして入力する。ＣＰＵ１１内のカラー・カラー数値変換部１２１は、入力されたカラーを、補助記憶装置１３のカラー・カラー数値対応表１０１を用いてカラー数値１１５に変換する。得られたカラー数値１１５は、さらに、ＣＰＵ１１内のカラー数値・オブジェクト変換部１１６によって補助記憶装置１３のカラー数値・オブジェクト対応表１０２を用いてコンピュータオブジェクト１１３に変換され、こうして再現が行われる。再現されたコンピュータオブジェクト１１３は、出力装置１２４により再現されたデータ・情報１２５として出力され、利用に供する。
【００８６】
カラーエンティティ１２３から変換されたカラー数値１１５は、そのまま記録されるか、あるいは通信により他のコンピュータに伝送されることもあり得る。また他のコンピュータから通信にて伝送されたカラー数値、あるいはデータ入出力装置１１７から入力されたカラー数値をデータ・情報として再現する場合は、カラーエンティティから変換されたカラー数値を再現する場合と同様な手順がとられる。
【００８７】
図７に示した構成において、コンピュータオブジェクト１１３の入出力装置１３０には上記のごとく入力装置１１２と出力装置１２４を含むが、目的に応じて必要なものが用いられる。カラーエンティティやカラー数値の入出力装置および情報通信部１３１にはカラー入出力装置１２２、データ入出力装置１１７および他のコンピュータとの情報通信部１１９を含むが、目的に応じて必要なものを用いることができる。
【００８８】
次に図８を参照して「選別」に関する構成について説明する。ここで「選別」とは、データ入出力装置または通信装置（通信回線を含む）を通じて不要なデータを配信しない、または取り込まないようにする処理をいう。この選別に当たっては、図８に示すように、ＣＰＵ１１の内部にカラーフィルタと呼ばれるフィルタ部１４１を設ける。図８は、図７のカラーフィルタに関する部分を抜き出して示した図であり、図７に示された機能の部分が必要に応じて構成されている。従って図８において、図７に示された要素と実質的に同一の要素には同一の符号を付している。
【００８９】
図８に示されたフィルタ部１４１は、外部とのデータの出し入れに際し、データ入出力装置１１７を経由してカラー数値１１８として入出力されたデータを、補助記憶装置１３に予め格納されているフィルタ対応表１４２に基づいて選別される。フィルタ対応表１４２には、取り入れ可能なカラー数値とその他のデータが格納されている。外部から一連のカラー数値データがＣＰＵ１１に入力されたとき、フィルタ部１４１はフィルタ対応表１４２を参照し、例えばフィルタ対応表１４２に存在しないカラー数値が含まれている場合には、その一連のカラー数値を無効と判断して、コンピュータオブジェクトあるいはカラーへ変換する処理を行わないようにする。さらにフィルタ対応表１４２に取入れ不可のカラー数値を入れておくこともできる。この場合には、上記とは反対に、フィルタ部１４１は、フィルタ対応表１４２にあるカラー数値が含まれている場合に無効と判断する。さらにフィルタ対応表１４２には、取入れ可能なカラー数値と取入れ不可のカラー数値の両者を含ませることもできる。このような構成を有するフィルタ対応表を使用することにより、通信経路、入出力経路、その他の経路で不要なデータが混入した場合またはデータが改変された場合に、無効なデータを除去できる。
【００９０】
１つのコンピュータオブジェクトグループ内で、またはより上の階層のコンピュータオブジェクトグループに属する複数のコンピュータオブジェクトグループの間で、個別事項、内容、性質、量、大きさ等の属性が共通である、または同一であるコンピュータオブジェクトを「共通オブジェクト」として定めることができる。共通オブジェクトを用いてコンピュータオブジェクトを表現することにより、コンピュータオブジェクトの表現がより簡便にすることができる。このときには、共通オブジェクトに対応するカラー、カラー数値を「共通カラー」、「共通カラー数値」として定め、これらの間に前述した循環関係を規定する。この循環関係に基づいて、共通オブジェクト、共通カラー、共通カラー数値を相互に変換して取り扱う。
【００９１】
次に記録媒体について説明する。記録媒体は図１で記録媒体６０として説明され、記録媒体６０の例としてペーパー６１、樹脂板６２、ガラス６３、木板６４等が挙げられた。記録媒体はその形としては方形状、円形状、その他の任意の形を取り得る。図９は方形状の記録媒体１５１を示し、図１０は円形状の記録媒体１５２を示している。記録媒体１５１，１５２のそれぞれの記録面に複数（多数）のカラーエンティティ１６１が配置されている。カラーエンティティ１６１の並べ方としては、法形状の記録媒体１５１の場合には縦横の直線状に並べるのが一般的であり、円形状の記録媒体１５２の場合には図１１に示すように渦巻状の配列１６２または図１２に示すように同心円状（または同心楕円状）の配列１６３が一般的である。記録媒体の形やカラーエンティティの配置の方法については、使用する記録媒体や入出力装置の特性に応じて任意に選択することができる。
【００９２】
記録媒体の１つの記録面は目的に応じて複数の領域に分けて使用され得る。例えば図９および図１２に示した記録媒体１５１，１５２においては制御部８１、記憶部８２、セキュリティ部８３の各領域に分けられている。また図１２に示した記録媒体１５２では、それらの３つの領域に加えて、中心の部分に補助領域部８４を設けている。
【００９３】
上記において制御部８１の領域は、その記録媒体単独で、あるいは電話回線など通信回線を使って他のコンピュータと情報を送受信することを可能にする制御用情報を持たせる領域である。例えば前述したカラー・オブジェクト関係またはカラー数値・オブジェクト関係を複数として、さらには多階層で構成するとき、階層の情報、あるいはどのカラー数値〜オブジェクト関係を用いたデータであるかの制御情報を、この制御部８１の領域に格納しておく。記憶部８２は、コンピュータオブジェクトに対応したカラーエンティティの記録領域である。セキュリティ部８３は、簡便容易な記録再生と複製を回避するためのセキュリティ情報を格納する。非許諾者によるカラーエンティティの読取り・複製が行われようとするときにそれを防止する機能が働くようにする。補助領域部８４は、カラーエンティティの記録、再生、入出力、その他必要な情報を格納する領域である。いずれの領域も基本的にカラーエンティティに基づいて情報が記憶される。その意味の与え方はそれぞれの実用の都度決めておくものとする。
【００９４】
図１３は記録媒体上のカラーエンティティの状態を示す。図１３では方形の記録媒体１７１が示され、ドット配列が縦横直線上の例を示している。中空または数字の入った○によってカラーエンティティが印刷される１つ１つのドットを表している。記録媒体１７１の一面に描かれた多数の碁盤目１７２を一点鎖線１７３でいくつかの部分に分けて、異なるカラーエンティティの状態を表している。１７４で示される部分は中空の○で構成されている。この○はコンピュータオブジェクトとの対応関係がないものでカラーエンティティが印刷されていない状態と同等であり、カラーエンティティが配置されるドットの位置を示している。数字の入った○は、コンピュータオブジェクトと対応付けられた、すなわち何らかのコンピュータオブジェクトを具体的に表すカラーエンティティを示している。１，２，３，…は情報の並びの正規の順序を示している。１７５で示した部分においてはカラーエンティティは本来の順序で並んでいる。この場合には配列の順番でカラーエンティティを読み込んでいけば一連の意味ある情報が得られることになる。１５で示した部分は、情報の本来の順番と異なる並べ方をした例である。この並べ方の情報は前述のセキュリティ部８３に存在する。部分１７６のように配置されたカラーエンティティを読取るときは、まず配置の順にカラーエンティティのカラーを入力した後に、セキュリティ部８３の配置順序情報により順番を並べ替えることによって元のコンピュータオブジェクトに再現する。ここでセキュリティ部８３に格納する配置順序情報は、カラーエンティティの配置を直接表すものとは限らず、その情報をコンピュータオブジェクトとして持たせてそれをカラーオブジェクトで表したものでよい。部分１７６のように配列することにより、配置順序情報を与えられていない者はカラーエンティティをコンピュータオブジェクトに再現することができないことになり、情報の暗号化と同等の働きをもたらすことになる。
【００９５】
１７７で示された部分は、カラーエンティティにカラーとは別の属性を合わせ持たせた例である。▲の記号１７８などはカラーという属性に加えて形その他の属性を持つものである。このように複数の属性およびカラーを組み合わせることにより、１ドットで表現できる情報量を増やすことを可能にする。
【００９６】
図１４と図１５はカラーエンティティの変色防止方法の例を示し、記録媒体の側面図を示している。図１４に示された例では、カラーエンティティが印刷された記録媒体１８１の全表面にカラー変色防止被膜１８２が設けられている。図１５に示された例では、記録媒体１８１のカラーエンティティが印刷された表面でカラーエンティティが印刷された部分だけに対してカラー変色防止被膜が設けられている。
【００９７】
以上、図を参照して説明された本実施形態は一例であって、本発明は上記の実施形態に限定されたものでなく、発明の要旨に範囲を逸脱しない限りにおいて任意に改変して実施し得るものである。
【００９８】
以上の説明で明らかなように、本発明によれば、コンピュータオブジェクトのそれぞれに１つのカラーを割り付け、カラーでコンピュータオブジェクトを記録等するようにしたため、次の効果を奏する。記録の最小単位の１ドットにつき１ビットを超える容量のデータを記録でき、大量の情報の記録等を容易に行うことができる。記録媒体として紙等の安価なものを使用でき、このため経済性に優れる。記録保存のスペースを小さくすることが可能であり、紙の書籍などの保管が用意である。音楽、画像、映像など娯楽分野において、その記録・再生を非常に安価に行うことができる。単位スペースあたりの安価、簡便なデータ・情報の記録を可能にする。情報データの保存圧縮効果が大きいという利点を有している。高価な記憶装置からの代替が安価・簡便に行うことが可能である。カラー・オブジェクト関係の多重化、多層化により、データの圧縮効果が生じる。また対応表を有していないと、情報を取り出せないので、記録媒体そのものに著作保護効果を有する。記録媒体を応用することによりコンピュータの外部記憶装置としても使用可能である。多数の送信先に大量の情報の送信と、その情報の任意選択を可能にし、送信資料の縮減する効果を持つ。通常の記号とカラー、カラー数値を選択的に使用することによりドットの使用量を減縮する効果が大である。対応表を使用することにより、コンピュータオブジェクトに比し、伝達・送信するカラー、カラー数値の減縮効果が大である。データ・保護の観点で暗号化を促進できるという利点を有している。
【産業上の利用可能性】
【００９９】
以上のように、本発明は、コンピュータオブジェクトをカラーを利用して表現し、カラーで記録、再生、通信し、大量の情報の記録等を行い、記録媒体として安価なものを使用し、経済性を高める。
【図面の簡単な説明】
【０１００】
【図１】カラーを利用してコンピュータオブジェクトを表現する本発明に係る方法が適用されたコンピュータシステムの構成例を示し、カラーエンティティと表示対象の記録に関する関係を示す図である。
【図２】カラーとコンピュータオブジェクトの関係の一例を対応表で示す図である。
【図３】カラーとカラー数値の関係の一例を対応表で示した図である。
【図４】カラー数値とオブジェクトの関係の一例を対応表で示す図である。
【図５】複数のカラー数値・オブジェクト対応表を示す図である。
【図６Ａ】コンピュータオブジェクトとカラー数値とカラーの循環関係を示した図である。
【図６Ｂ】コンピュータオブジェクトとカラー数値とカラーの循環関係において２つずつの対の関係を示した図である。
【図６Ｃ】或るコンピュータと他のコンピュータの間の情報のやり取りでカラーを暗号として利用する場合の各コンピュータが有する関係を示す図である。
【図７】コンピュータオブジェクトの入出力の手順の例を示したブロック構成図である。
【図８】カラーフィルタによって選別を行うための構成を示したブロック図である。
【図９】一面にカラーエンティティを表示する方形の記録媒体と表示要素の集合の一例を示した図である。
【図１０】一面にカラーエンティティを表示する円形の記録媒体と表示要素の集合の一例を示した図である。
【図１１】円形の記録媒体における表示要素の並べ方の一例を示す概念図である。
【図１２】円形の記録媒体における表示要素の並べ方の他の例を示し、さらに割当て領域を示した図である。
【図１３】カラーエンティティを表示する記録媒体の一表示例を示した図である。
【図１４】カラーエンティティの変色防止を行う第１の構成例を有する記録媒体の側面図である。
【図１５】カラーエンティティの変色防止を行う第２の構成例を有する記録媒体を有する記録媒体の側面図である。
【符号の説明】
【０１０１】
１０      コンピュータ
１１      ＣＰＵ
１００    カラー・オブジェクト対応表
１０１    カラー・カラー数値対応表
１０２    カラー数値・オブジェクト対応表
１０３    カラー・カラー数値対応表
【図１】
0004649499.tif 000002
【図２】
0004649499.tif 000003
【図３】
0004649499.tif 000004
【図４】
0004649499.tif 000005
【図５】
0004649499.tif 000006
【図６Ａ】
0004649499.tif 000007
【図６Ｂ】
0004649499.tif 000008
【図６Ｃ】
0004649499.tif 000009
【図７】
0004649499.tif 000010
【図８】
0004649499.tif 000011
【図９】
0004649499.tif 000012
【図１０】
0004649499.tif 000013
【図１１】
0004649499.tif 000014
【図１２】
0004649499.tif 000015
【図１３】
0004649499.tif 000016
【図１４】
0004649499.tif 000017
【図１５】
0004649499.tif 000018